(57)【要約】【課題】  電子機器に接続される接続コードを収納可能なデータプロジェクタを提供することを目的とする。【解決手段】  プロジェクタ１０は、パーソナルコンピュータや映像機器等の電子機器に接続され、電子機器からの画像信号に基づいて投影画像を形成するものであり、電子機器に接続されるＲＧＢ接続コード４０が本体ケース１２内に巻き取り可能に収納され、使用時には本体ケースから引き出し可能であることを特徴とする。これにより、プロジェクタを持ち運びするとき、接続コードを持ち忘れたり、紛失することが防止される。また、プロジェクタを保管するときにも、外観上の美感をもって接続コードを収納することができる。【選択図】    図１
0003121046.tif 000002
【実用新案登録請求の範囲】
【請求項１】
パーソナルコンピュータや映像機器等の電子機器に接続され、電子機器からの画像信号に基づいて投影画像を形成し、これを投影するデータプロジェクタにおいて、
前記電子機器に接続される接続コードが本体ケース内に巻き取り可能に収納され、使用時には本体ケースから引き出し可能であることを特徴とするデータプロジェクタ。
【請求項２】
本体ケース上面の端部に窪み部分が形成され、前記接続コードは、収納時に前記窪み部分に接続端子が露出するように配置されていることを特徴とする請求項１に記載のデータプロジェクタ。
【請求項３】
前記接続コードと隣接して電源コードが本体ケース内に巻き取り可能に収納され、前記接続コードと電源コードの先端の接続部は、ケース本体の上面および背面より内側に配置されている、請求項１に記載のデータプロジェクタ。
【請求項４】
データプロジェクタはさらに、一面が開放された矩形状のキャリーケースを含み、当該キャリーケースは、開放された面から本体ケースを収納し固定する、請求項１ないし３いずれか１つに記載のデータプロジェクタ。
【考案の詳細な説明】
【技術分野】
【０００１】
本発明は、画像を投影するプロジェクタに関し、特に、ＤＭＤ（Digital Micro-mirror Device）を用いたデータプロジェクタに関する。
【０００２】
パーソナルコンピュータやＤＶＤなどの画像信号に基づいて投影画像を形成し、これを拡大して投影する正面投影型または背面投影型のプロジェクタが実用化されている。プロジェクタは、画像信号を空間的に変調する変調素子として、液晶素子等の透過型素子やＤＭＤ等の反射型素子を用いている。ＤＭＤは、２次元的に配列した各ピクセルが微小なミラーから構成され、各ピクセルの直下に配置されたメモリ素子による静電界作用によってミラーの傾きを制御し、反射光の反射角度を変化させることで、オン／オフ状態を作る反射形表示素子である。ピクセルがオフ状態では、ミラーによる反射光が投影レンズに入射せず、ピクセルがオン状態では、ミラーによる反射光が投影レンズに入射し、スクリーンに画像を形成するように光学系部品が配置されている。
【０００３】
パーソナルコンピュータやＤＶＤ等の電子機器からの画像信号は、無線または有線により受け取ることが可能である。但し、汎用性を考えると、ＲＧＢ接続コードを用い、これを電子機器に接続するのが一般的である。また、プロジェクタは、電力を供給するための電源コードを必要とする。プロジェクタを持ち運びする場合、あるいはプロジェクタを保管する場合、電源コードや接続コード等の付属品がプロジェクタ本体とばらばらにならないようにするため、キャリーケース内に一緒に収納している。
【０００４】
特許文献１は、図５に示すように、透明原稿が載置されるガラスプレート３が配置された筐体１と、該筐体１内に設けられた照明光学系と、筐体１に固定されたアーム２に接続された拡大投影用レンズ１３と、筐体１を回転自在に支持する支持台と、該支持台に設けられ、筐体１の回転によって照明光学系に接続された電源コード８を巻装するコード巻取部とを備えている。これにより、装置の保管時や移動時に、電源コード８が保管や移動時に邪魔な部分を生じることなく装置に簡単に一体収納され、電源コードの紛失事故を防止している。
【０００５】
【特許文献１】特開平１１−２８２０８６号
【考案の開示】
【考案が解決しようとする課題】
【０００６】
プロジェクタが小型化、軽量化され、プロジェクタの携帯機能が進歩している反面、プロジェクタに用いられる接続コード類は、比較的大きなスペースを占有するばかりか、取り扱い面においても邪魔になり易い。また、複数の接続コードがあると、その識別も容易ではなく、外観上の見た目もよくない。
【０００７】
一方、特許文献１は、筐体１を回転させることにより電源コードを巻き取る構成を開示しているが、この方法は、機構が複雑化するため、プロジェクタの小型化、軽量化、携帯性において不適である。さらに特許文献１では、電源コード以外の他の接続コードを収納する技術を何ら開示していない。
【０００８】
本考案は、上記したような課題を解決するものであり、接続コードを収納可能な小型化、軽量化、携帯性に優れたデータプロジェクタを提供することを目的とする。
【課題を解決するための手段】
【０００９】
本考案に係るデータプロジェクタは、パーソナルコンピュータや映像機器等の電子機器に接続され、電子機器からの画像信号に基づいて投影画像を形成するものであり、電子機器に接続される接続コードが本体ケース内に巻き取り可能に収納され、使用時には本体ケースから引き出し可能であることを特徴とする。これにより、プロジェクタを持ち運びするとき、接続コードが本体ケース内に収納されるので、接続コードを持ち忘れたり、紛失することが予防される。また、プロジェクタを保管するときにも、外観上の美的をもって接続コードを収納することができる。
【００１０】
好ましくは、本体ケース上面の端部に窪み部分が形成され、収納時に前記接続コードは窪み部分に接続端子が露出するように配置されている。これにより、プロジェクタを使用するときに、接続コードがどこにあるのかを一見して識別することができ、接続コードを引き出せば即座に使用することができる。接続コードは、例えば、ＲＧＢ接続コードである。さらに本体ケースには、接続コードと隣接して電源コードが巻き取り可能に収納されるようにしてもよい。好ましくは、電源コードと接続コードの先端の接続部は、ケース本体の面（実施例の背面に相当）から内側に配置されている。本体ケースをキャリーケース内に収納するときに、電源コードおよび接続コードが邪魔にならないようになっている。
【考案の効果】
【００１１】
本考案によれば、プロジェクタの本体ケース内に接続コードを巻き取り可能に収納し、使用時に本体ケースから引き出し可能にしたので、プロジェクタを持ち運びするとき、接続コードを持ち忘れたり、紛失することがなくなり、また、未使用時に、かつ外観上の美的をもって接続コードを収納することができる。
【考案を実施するための最良の形態】
【００１２】
以下、本発明に係るプロジェクタの好ましい構成を図面を参照して詳細に説明する。
【実施例】
【００１３】
以下、本発明の実施の形態について図面を参照して説明する。図１は、本考案の実施例に係るデータプロジェクタの外観を示す図であり、図１(ａ)は、前方から見たときの斜視図、図１（ｂ）は後方から見たときの斜視図、図２は、プロジェクタの上面、側面、正面および背面図である。
【００１４】
本考案のデータプロジェクタ１０は、本体ケース１２を含み、本体ケース１２の内部には、ランプユニット、ランプユニットからの光を液晶素子やＤＭＤ等の光変調素子へ照明する照明光学系、光変調素子によって変調された光を投影する投影光学系、電源や画像処理用の半導体デバイスを実装した回路基板、外部との信号の送受を行う接続ポート等が設けられている。本体ケース１２の正面１４には、投影レンズ１６が取り付けられている。投影レンズ１６は、変調された光をスクリーン上に拡大して投影する。投影レンズ１６に隣接して、リモートコントローラからの赤外線信号を受け取る赤外線受光部１８が取り付けられている。さらに本体ケース１２の正面１４には、複数の通気孔２０が形成されている。通気孔２０は、本体ケース２０内部を冷却するためのものである。
【００１５】
本体ケース１２の側面２２には、後述するキャリーケースを取り付けるための一対のロック用穴２４が形成されている。ロック用穴２４の間には、スリット状の通気孔２６が形成されている。
【００１６】
ケース本体１２の正面側は、保護カバー２８によって覆われている。保護カバー２８により覆われていない本体ケース１２の上面３０には、ビデオや音声等のコネクター類３２が収納されるようになっている。
【００１７】
本体ケース１２の上面３０と背面３４の交差する部分に窪み部３６が形成されている。窪み部３６の内側には、電源コード３８およびＲＧＢ接続コード４０を巻取るための巻取り部が収納されている。巻取り部は、例えば、回転するリールでコードを巻き付ける構成であり、リールをスプリングなどにより一定方向に回転するように付勢している。あるいは、手動によって巻き取る構成であってもよい。
【００１８】
窪み部３６には、コードを通すための２つの貫通孔が形成され、一方の貫通孔には電源コードが通され、他方の貫通孔にはＲＧＢコードが通される。電源コードおよびＲＧＢコードが開口を介して巻取り部に巻き取られたとき、電源コードおよびＲＧＢ接続コードの先端の接続端子部が開口に当接し、接続端子部が窪み部３６において露出するようになっている。言い換えれば、電源コード３８およびＲＧＢ接続コード４０が収納されたとき、それぞれの先端の接続端子部は、本体ケース１２の上面３０および背面３４から突出することなく窪み部３６内に配置されている。これは、後述するように、ケース本体１２をキャリーケース内に収納するときに、電源コード３８および接続コード４０が邪魔にならないようにするためである。
【００１９】
プロジェクタ１０を使用するとき、電源コード３８およびＲＧＢ接続コード４０が窪み部３６から引き出され、ＲＧＢ接続コード４０は、パーソナルコンピュータやＤＶＤ等の画像信号用の入出力インターフェースに接続される。
【００２０】
プロジェクタを持ち運びするとき、あるいは保管するとき、電源コード３８およびＲＧＢコードは窪み部３６内に収納される。この状態で、さらにプロジェクタ１０は、キャリーケース内に収納される。
【００２１】
図３は、プロジェクタをキャリーケース内に収納したときの外観斜視図であり、図４（ａ）は、キャリーケースを裏側から見たときの斜視図、図４（ｂ）は、キャリーケースを上方から見たとき斜視図である。
【００２２】
キャリーケース５０は、一面が開放された箱型のカバーであり、開放された一面５０ａからプロジェクタ１０を収納することができるようなサイズを有している。キャリーケース５０の側面５２には、一対の本体ロック用フック５４が形成されている。一対のフック５４は、収納されたプロジェクタの側面に形成された一対のロック用穴２４とそれぞれ係合し、プロジェクタ１０をキャリーケース５０内に固定する。一対のフック５４の間には、ハンドル５６がネジ等により回動可能に取り付けられている。
【００２３】
キャリーケース５０の内部の底面には、カードタイプのリモートコントローラ５８が着脱可能に取り付けられている。プロジェクタ１０を収納するときに、一緒にキャリーケース５０内に収納され、プロジェクタ１０を使用するとき、そこから取り外される。リモートコントローラ５８は、赤外線による信号を、プロジェクタ１０の正面の赤外線受光部１８に向けて出力する。リモートコントローラ５８は、プロジェクタの電源のオン・オフ、明るさ等の指示を与える。
【００２４】
また、キャリーケース５０内側の側面には、着脱自在にレーザポインタ６０が取り付けられている。プロジェクタの使用時、レーザポインタ６０がキャリーケース５０から取り外される。レーザポインタ６０は、投影された画像を説明するときに用いられるツールであり、プロジェクタ１０によりスクリーン上に画像を投影するとき、レーザポインタ６０により赤色のスポット光をスクリーン上に表示させることができる。
【００２５】
このようにキャリーケース５０に、必要な付属品を取り付け、さらに接続コードおよび電源コードの収納機能を持つプロジェクタ１０を収納することで、小型化、軽量化、形態性を満足したプロジェクタを提供することができる。
【００２６】
以上、本考案の好ましい実施例について詳述したが、本考案は特定の実施例に限定されるものではなく、実用新案登録請求の範囲に記載された本考案の要旨の範囲内において、種々の変形、変更が可能である。
【００２７】
上記実施例では、ＲＧＢ接続コードが収納可能な例を示したが、これ以外のビデオ用接続コード、オーディオ用接続コードを本体ケース内に収納可能にしてもよい。さらに、本体ケースの背面に形成される窪み部の形状等は、設計事項に応じて適宜変更することが可能である。
【産業上の利用可能性】
【００２８】
本発明に係るデータプロジェクタは、テレビ信号、ＤＶＤ等の映像信号、パーソナルコンピュータの画像信号を投影するための画像形成装置として利用される。
【図面の簡単な説明】
【００２９】
【図１】本考案の実施例に係るプロジェクタの外観を示す図であり、図１(ａ)は、前方から見たときの斜視図、図１（ｂ）は後方から見たときの斜視図である。
【図２】プロジェクタの平面図である。
【図３】プロジェクタをキャリーケースに収納した状態を示す図である。
【図４】図４（ａ）はキャリーケースを裏側から見たときの斜視図、図４（ｂ）はキャリーケースを上方から見たとき斜視図である。
【図５】従来の映像拡大投影装置の構成を示す図である。
【符号の説明】
【００３０】
１０：プロジェクタ                １２：本体ケース
１４：正面                        １６：投影レンズ
１８：赤外線受光部                ２０：通気孔
２２：側面                        ２４：ロック用穴
２６：通気孔                      ２８：保護カバー
３０：上面                        ３２：コネクター類
３４：背面                        ３６：窪み部
３８：電源コード                  ４０：ＲＧＢ接続コード
５０：キャリーケース              ５２：側面
５４：本体ロック用フック          ５６：ハンドル
５８：リモートコントローラ        ６０：レーザポインタ
【図１】
0003121046.tif 000003
【図２】
0003121046.tif 000004
【図３】
0003121046.tif 000005
【図４】
0003121046.tif 000006
【図５】
0003121046.tif 000007